【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
光学的ローパスフィルタと、
前記光学的ローパスフィルタを駆動する駆動回路と
を備え、
前記光学的ローパスフィルタは、
複屈折性を有し、像の分離方向が互いに反対方向を向いているか、または互いに同じ方向を向いている一対の複屈折板と、
前記一対の複屈折板の間に配置され、偏光を制御する液晶層と、
前記液晶層に電界を印加する電極と
を有し、
前記駆動回路は、前記液晶層の偏光変換効率曲線の立ち上がりと立下りとの間の中間電圧若しくは中間周波数を前記電極に印加する
撮像デバイス。
【請求項２】
前記一対の複屈折板および前記液晶層は、前記中間電圧若しくは前記中間周波数が前記電極に印加されているときに、前記光学的ローパスフィルタの透過光の点像強度分布に３つまたは４つのピークを生じさせる
請求項１に記載の撮像デバイス。
【請求項３】
前記一対の複屈折板および前記液晶層は、前記３つまたは４つのピークのうち両端の２つのピークの距離を前記中間電圧若しくは前記中間周波数の大きさに依らず一定に保つ
請求項２に記載の撮像デバイス。
【請求項４】
前記液晶層は、ＴＮ液晶またはＶＡ液晶である
請求項３に記載の撮像デバイス。
【請求項５】
一方の前記複屈折板における像の分離幅と、他方の前記複屈折板における像の分離幅とは、互いに等しくなっており、
前記一対の複屈折板および前記液晶層は、前記中間電圧若しくは前記中間周波数が前記電極に印加されているときに、前記光学的ローパスフィルタの透過光の点像強度分布に３つのピークを生じさせる
請求項１ないし請求項４のいずれか一項に記載の撮像デバイス。
【請求項６】
各前記複屈折板は、水晶、方解石またはニオブ酸リチウムである
請求項１ないし請求項５のいずれか一項に記載の撮像デバイス。
【請求項７】
前記電極は、前記液晶層を介して互いに対向配置された２枚のシート状電極からなる
請求項１ないし請求項６のいずれか一項に記載の撮像デバイス。
【請求項８】
画像データを出力する撮像デバイスと、
前記撮像デバイスを制御すると共に、前記撮像デバイスから出力された前記画像データに対して所定の処理を行う演算部と
を備え、
前記撮像デバイスは、
光学的ローパスフィルタと、
前記光学的ローパスフィルタの透過光に応じた前記画像データを出力する撮像素子と、
前記光学的ローパスフィルタおよび前記撮像素子を駆動する駆動回路と
を有し、
前記光学的ローパスフィルタは、
複屈折性を有し、像の分離方向が互いに反対方向を向いているか、または互いに同じ方向を向いている一対の複屈折板と、
前記一対の複屈折板の間に配置され、偏光を制御する液晶層と、
前記液晶層に電界を印加する電極と
を有し、
前記駆動回路は、前記液晶層の偏光変換効率曲線の立ち上がりと立下りとの間の中間電圧若しくは中間周波数を前記電極に印加する
撮像装置。
【請求項９】
前記演算部は、大きさの互いに異なる複数の前記中間電圧若しくは前記中間周波数を順次、前記電極に印加させることにより、像のボケ量の互いに異なる複数の前記画像データを前記撮像素子から取得する
請求項８に記載の撮像装置。
【請求項１０】
前記演算部は、像のボケ量の互いに異なる２つの前記画像データの差分を利用して、偽信号の低減された加工データを生成する
請求項９に記載の撮像装置。
【請求項１１】
前記演算部は、像のボケ量の互いに異なる２つの前記画像データを互いに足し合わせることにより、偽信号の低減された加工データを生成する
請求項９に記載の撮像装置。
【請求項１２】
前記演算部は、像のボケ量の互いに異なる２つの前記画像データを互いに組み合わせることにより、像のボケ量が部分的に異なる加工データを生成する
請求項９に記載の撮像装置。
【請求項１３】
前記演算部は、静止画モードと動画モードとで、前記中間電圧若しくは前記中間周波数の大きさを変える
請求項８ないし請求項１２のいずれか一項に記載の撮像装置。
【請求項１４】
前記演算部は、動画モードで複数の前記画像データを取得している最中に、前記中間電圧若しくは前記中間周波数を一時的に変えて、前記画像データを取得する
請求項１３に記載の撮像装置。
【請求項１５】
前記演算部は、前記動画モードで取得した複数の前記画像データと、一時的に変えた前記中間電圧若しくは前記中間周波数で取得した前記画像データとの差分に基づいて、動画モードで使用する新たな前記中間電圧若しくは前記中間周波数を導出すると共に更新する
請求項１４に記載の撮像装置。
【請求項１６】
複屈折性を有し、像の分離方向が互いに反対方向を向いているか、または互いに同じ方向を向いている一対の複屈折板と、
前記一対の複屈折板の間に配置され、偏光を制御する液晶層と、
前記液晶層に電界を印加する電極と
を有し、
前記一対の複屈折板および前記液晶層は、当該液晶層の偏光変換効率曲線の立ち上がりと立下りとの間の中間電圧若しくは中間周波数が前記電極に印加されているときに、後段の前記複屈折板の透過光の点像強度分布に３つまたは４つのピークを生じさせる
光学的ローパスフィルタ。
【手続補正２】
【補正対象書類名】明細書
【補正対象項目名】００１６
【補正方法】変更
【補正の内容】
【００１６】
【図１】本技術の第１の実施の形態に係る光学的ローパスフィルタの概略構成の一例を表す図である。
【図２】図１の一対の複屈折板の光学軸の一例を表す図である。
【図３Ａ】図１の液晶層の偏光変換効率曲線（Ｖ−Ｔ曲線）の一例を表す図である。
【図３Ｂ】図１の液晶層の偏光変換効率曲線（Ｆ−Ｔ曲線）の一例を表す図である。
【図４Ａ】図１の光学的ローパスフィルタの作用の一例を表す図である。
【図４Ｂ】図１の光学的ローパスフィルタの作用の一例を表す図である。
【図４Ｃ】図１の光学的ローパスフィルタの作用の一例を表す図である。
【図５Ａ】図４Ｂの透過光の点像強度分布の一例を、映像上での点像の広がりとともに表す図である。
【図５Ｂ】図４Ａの透過光の点像強度分布の一例を、映像上での点像の広がりとともに表す図である。
【図５Ｃ】図４Ｃの透過光の点像強度分布の一例を、映像上での点像の広がりとともに表す図である。
【図５Ｄ】図４Ｃの透過光の点像強度分布の一例を、映像上での点像の広がりとともに表す図である。
【図６】図５Ａ〜図５ＤのＭＴＦ(Modulation Transfer Function)の一例を表す図である。
【図７】図１の一対の複屈折板の光学軸の一変形例を表す図である。
【図８Ａ】図７の光学的ローパスフィルタの作用の一例を表す図である。
【図８Ｂ】図７の光学的ローパスフィルタの作用の一例を表す図である。
【図８Ｃ】図７の光学的ローパスフィルタの作用の一例を表す図である。
【図９Ａ】図１、図７の液晶層の偏光変換効率曲線（Ｖ−Ｔ曲線）の一変形例を表す図である。
【図９Ｂ】図１、図７の液晶層の偏光変換効率曲線（Ｆ−Ｔ曲線）の一変形例を表す図である。
【図１０】図１、図７の光学的ローパスフィルタの一変形例を表す図である。
【図１１】本技術の第２の実施の形態に係る撮像デバイスの概略構成の一例を表す図である。
【図１２】図１１の撮像デバイスの概略構成の一変形例を表す図である。
【図１３】図１１の撮像デバイスの概略構成の一変形例を表す図である。
【図１４】本技術の第３の実施の形態に係る撮像装置の概略構成の一例を表す図である。
【図１５】図１４の撮像装置における撮像手順の一例を表す図である。
【図１６】図１４の撮像装置における撮像手順の一例を表す図である。
【図１７】図１４の撮像装置における撮像手順の一例を表す図である。
【図１８】図１４の撮像装置における撮像手順の一例を表す図である。
【図１９】図１４の撮像装置における撮像手順の一例を表す図である。
【図２０】図１９の手順の一具体例を表す図である。
【図２１】図１４の撮像装置における撮像手順の一例を表す図である。
【図２２】図２１の手順の一具体例を表す図である。
【図２３】図１４の撮像装置における撮像手順の一例を表す図である。
【図２４】図２１の手順の一具体例を表す図である。
【図２５】図２１の手順の一具体例を表す図である。
【図２６】図１４の撮像装置における撮像手順の一例を表す図である。
【図２７】図１４の撮像装置における撮像手順の一例を表す図である。
【手続補正３】
【補正対象書類名】明細書
【補正対象項目名】００８６
【補正方法】変更
【補正の内容】
【００８６】
このように、撮像装置１００では、光学的ローパスフィルタ１０に印加する電圧Ｖ３または周波数Ｆ３の条件を変えるだけで、段階露光が可能である。従って、段階露光のために機械部品を逐一動作させる必要がないので、段階露光を高速に行うことができるだけでなく、簡易な構成で段階露光を実現することができる。
【手続補正４】
【補正対象書類名】明細書
【補正対象項目名】００８７
【補正方法】変更
【補正の内容】
【００８７】
（段階露光その３（図１７、図１８））
段階露光その１、その２では、演算部２は、段階露光で段階的に変更する条件として、光学的ローパスフィルタ１０に印加する電圧Ｖ３または周波数Ｆ３を選択し、アイリスやフォーカスの条件については固定としていた。しかし、演算部２は、例えば、図１７に示したように、アイリスの条件として、Ｂ１、Ｂ２、Ｂ３を用意し、アイリスの条件Ｂ１、Ｂ２、Ｂ３ごとに、ステップＳ２０１〜Ｓ２０６の一連の手順Ｓ２００を実行するようにしてもよい（ステップＳ３０１〜３０３）。同様に、演算部２は、例えば、図１８に示したように、フォーカスの条件として、Ｃ１、Ｃ２、Ｃ３を用意し、フォーカスの条件Ｃ１、Ｃ２、Ｃ３ごとに、ステップＳ２０１〜Ｓ２０６の一連の手順Ｓ２００を実行するようにしてもよい（ステップＳ４０１〜４０３）。
【手続補正５】
【補正対象書類名】明細書
【補正対象項目名】００９４
【補正方法】変更
【補正の内容】
【００９４】
このように、撮像装置１００では、光学的ローパスフィルタ１０に印加する電圧Ｖ３または周波数Ｆ３の条件を変えるだけで、像のボケ量の互いに異なる２つの画像データＤ１，Ｄ２を得ることができる。従って、段階露光のために機械部品を逐一動作させる必要がないので、モアレ低減処理を高速に行うことができるだけでなく、簡易な構成でモアレ低減処理を実現することができる。
【手続補正６】
【補正対象書類名】明細書
【補正対象項目名】００９６
【補正方法】変更
【補正の内容】
【００９６】
このように、撮像装置１００では、光学的ローパスフィルタ１０に印加する電圧Ｖ３または周波数Ｆ３の条件を変えるだけで、像のボケ量の互いに異なる２つの画像データＤ１，Ｄ２を得ることができる。従って、段階露光のために機械部品を逐一動作させる必要がないので、モアレ低減処理を高速に行うことができるだけでなく、簡易な構成でモアレ低減処理を実現することができる。
【手続補正７】
【補正対象書類名】明細書
【補正対象項目名】０１００
【補正方法】変更
【補正の内容】
【０１００】
このように、撮像装置１００では、光学的ローパスフィルタ１０に印加する電圧Ｖ３または周波数Ｆ３の条件を変えるだけで、像のボケ量の互いに異なる２つの画像データＤ１，Ｄ２を得ることができる。従って、段階露光のために機械部品を逐一動作させる必要がないので、モアレ低減処理を高速に行うことができるだけでなく、簡易な構成でモアレ低減処理を実現することができる。
【手続補正８】
【補正対象書類名】明細書
【補正対象項目名】０１０５
【補正方法】変更
【補正の内容】
【０１０５】
このように、撮像装置１００では、光学的ローパスフィルタ１０に印加する電圧Ｖ３または周波数Ｆ３の条件を変えるだけで、静止画に適した条件や、動画に適した条件を設定することができる。従って、静止画と動画を選択的に露光するために機械部品を逐一動作させる必要がないので、静止画と動画を高速に切り換えることができるだけでなく、簡易な構成で、静止画に適した条件や、動画に適した条件で露光や撮像を行うことができる。
【手続補正９】
【補正対象書類名】明細書
【補正対象項目名】０１１０
【補正方法】変更
【補正の内容】
【０１１０】
次に、演算部２は、ユーザに撮像を終了するか継続するか否かの回答を要求する（ステップＳ６１０）。その結果、ユーザが終了を選択した場合、演算部２は、撮像を終了する。一方、ユーザが継続を選択した場合、演算部２は、条件Ａｘが適した条件であるか否かを判定する（ステップＳ６１１）。具体的には、演算部２は、動画の画像データＤ９と、一時的に変えた電圧Ｖ３または周波数Ｆ３の条件で取得した静止画の画像データＤ１０との差分に基づいて、条件Ａｘが適した条件であるか否かを判定する。
【手続補正１０】
【補正対象書類名】明細書
【補正対象項目名】０１１１
【補正方法】変更
【補正の内容】
【０１１１】
その結果、演算部２は、条件Ａｘが適した条件であると判断した場合には、引き続き、条件Ａｘで動画の撮像を継続する。一方、演算部２は、条件Ａｘが適した条件ではないと判断した場合には、動画モードで使用する新たな電圧Ｖ３または周波数Ｆ３を導出し、条件Ａｘを変更する（ステップＳ６１２）。その後、演算部２は、変更後の条件Ａｘで動画の撮像を継続する。
【手続補正１１】
【補正対象書類名】明細書
【補正対象項目名】０１１２
【補正方法】変更
【補正の内容】
【０１１２】
このように、撮像装置１００では、光学的ローパスフィルタ１０に印加する電圧Ｖ３または周波数Ｆ３の条件を変えるだけで、動画撮像中に、像のボケ量を規定するパラメータの１つであるカットオフ周波数ｆｃを一時的に変更して、静止画を撮像することができる。さらに、動画の画像データＤ９と、一時的に撮像した静止画の画像データＤ１０を用いて、動画の条件の適否をリアルタイムに判断することもできる。
【手続補正１２】
【補正対象書類名】明細書
【補正対象項目名】０１１５
【補正方法】変更
【補正の内容】
【０１１５】
１…撮像デバイス、２…演算部、３…表示部、４…メモリ部、５…入力部、１０…光学的ローパスフィルタ、１０Ａ…入射面、１０Ｂ…出射面、１１Ａ…法線、１１，１５，８０…複屈折板、１２，１４…電極、１３…液晶層、１６…ＡＲ層、１７…低反射層、２０，５０…駆動回路、２１…前処理回路、２２…制御回路、２３…表示処理回路、２４…圧縮伸長回路、２５…メモリ制御回路、３０…レンズ、４０…アイリス、６０…撮像素子、７０…位相解消板、１００…撮像装置、Ａ１，Ａ２，Ａ３，Ａ４，Ａ５，Ａｘ，Ａｙ，Ｂ１，Ｂ２，Ｂ３，Ｃ１，Ｃ２，Ｃ３…条件、Ｄ１，Ｄ２，Ｄ３，Ｄ７，Ｄ８，Ｄ９，Ｄ１０，Ｄｒｏｗ…画像データ、Ｄ４，Ｄ５，Ｄ６…加工データ、Ｌ１…入射光、Ｌ２…透過光、θ１，θ２，θ３…角、ΔＤ１…差分データ。